(57)【要約】  本発明は、着用者の胴の少なくとも一部を覆う上部（２）、および着用者の腹部の少なくとも一部を覆うズボン（３）を含み、上部（２）およびズボン（３）はつなぎ服の形を成している、特に、サッカー、フットボール、ラグビー、ハンドボール、またはバスケットボールの団体競技用スポーツ衣服（１）に関する。着用者の体でのスポーツ衣服のフィット性を改善するために、および着用中の高い利便性を保証するために、本発明は、上部（２）およびズボン（３）が一体型編物デザインとして作られ、この衣服（１）が、衣服（１）の全周で衣服（１）の全垂直方向伸張部（Ｈ）の少なくとも４０％（ｈ）に沿って継目のない無縫製織物品として作られ、衣服（１）の無縫製部分は、少なくとも、上部（２）の垂直方向伸張部の一部に沿って伸張し、かつ、少なくとも、ズボン（３）の垂直方向伸張部の一部に沿って伸張する。【選択図】図１
2021519869.tif 000002
【特許請求の範囲】
【請求項１】
着用者の胴の少なくとも一部を覆う上部（２）、および前記着用者の腹部の少なくとも一部を覆うズボン（３）を含み、前記上部（２）および前記ズボン（３）はつなぎ服の形を成している、特に、サッカー、フットボール、ラグビー、ハンドボール、またはバスケットボールの団体競技用スポーツ衣服（１）であって、
前記上部（２）および前記ズボン（３）は一体型編物デザインとして作られ、前記衣服（１）は、前記衣服（１）の全周で前記衣服（１）の全垂直方向伸張部（Ｈ）の少なくとも４０％（ｈ）に沿って継目のない無縫製織物品として作られ、前記衣服（１）の無縫製部分は、少なくとも、前記上部（２）の垂直方向伸張部の一部に沿って伸張し、かつ、少なくとも、前記ズボン（３）の前記垂直方向伸張部の一部に沿って伸張することを特徴とする、団体競技用スポーツ衣服（１）。
【請求項２】
前記衣服（１）は、前記衣服（１）の全周で前記衣服（１）の前記全垂直方向伸張部（Ｈ）の少なくとも５０％（ｈ）に沿って無縫製織物品として作られることを特徴とする、請求項１に記載のスポーツ衣服。
【請求項３】
前記衣服（１）は丸編み工程によって作られることを特徴とする、請求項１または２に記載のスポーツ衣服。
【請求項４】
前記衣服（１）は縦編み工程によって作られることを特徴とする、請求項１または２に記載のスポーツ衣服。
【請求項５】
２つの腕袖（４、５）は前記上部（２）の基部と接続され、前記腕袖（４、５）は２つの袖継目（６、７）によって前記上部（２）の前記基部に固定されることを特徴とする、請求項１から４のいずれか一項に記載のスポーツ衣服。
【請求項６】
脚内側継目（８）は、前記ズボン（３）のズボン脚部（９、１０）の内側に設けられ、前記ズボン（３）の残部にはいずれの継目もないことを特徴とする、請求項１から５のいずれか一項に記載のスポーツ衣服。
【請求項７】
１つまたは２つのジッパー（１１、１２）は、前記上部（２）の最上領域および／または前記上部（２）の側領域に配置されることを特徴とする、請求項１から６のいずれか一項に記載のスポーツ衣服。
【請求項８】
前記衣服（１）は、編物が規定の第１の伸縮抵抗を有する少なくとも１つの第１の領域（Ｆ）を含み、前記衣服（１）は、前記編物が前記第１の伸縮抵抗と異なる規定の第２の伸縮抵抗を有する少なくとも１つの第２の領域（Ｓ）を含むことを特徴とする、請求項１から７のいずれか一項に記載のスポーツ衣服。
【請求項９】
前記第２の伸縮抵抗は、前記第１の伸縮抵抗の８５％を下回り、好ましくは、前記第１の伸縮抵抗の７０％を下回ることを特徴とする、請求項８に記載のスポーツ衣服。
【請求項１０】
前記衣服（１）の前記第１の領域（Ｆ）および前記第２の領域（Ｓ）において、伸張部の１センチメートル当たりの編目の数が異なっていることを特徴とする、請求項８または９に記載のスポーツ衣服。
【請求項１１】
前記編地は少なくとも２つの異なる糸から作られ、前記少なくとも２つの糸の伸縮性は異なっており、使用される糸の比率は前記衣服（１）の前記第１の領域（Ｆ）および前記第２の領域（Ｓ）で異なっていることを特徴とする、請求項８または９に記載のスポーツ衣服。
【請求項１２】
前記第１の領域（Ｆ）は、前記着用者の横隔膜を覆う前記衣服（１）の一部分であり、前記第２の領域（Ｓ）は、前記着用者の胸を覆う前記衣服（１）の一部分および／または前記着用者のへそを覆う前記衣服（１）の一部分であることを特徴とする、請求項８から１１のいずれか一項に記載のスポーツ衣服。
【請求項１３】
前記第２の領域（Ｓ）は、前記衣服（１）の表面に垂直に見ると半月形であることを特徴とする、請求項１２に記載のスポーツ衣服。
【請求項１４】
前記第１の領域（Ｆ）は、前記着用者の前記横隔膜を覆う前記衣服（１）の一部分であり、前記第２の領域（Ｓ）は、前記着用者の上背、および／または前記上部（２）と前記ズボン（３）との間の移行帯の背面を覆う前記衣服（１）の一部分であることを特徴とする、請求項８から１３のいずれか一項に記載のスポーツ衣服。
【請求項１５】
前記第２の領域（Ｓ）は、前記衣服（１）の前記表面に垂直に見るとＯ形またはＨ形であることを特徴とする、請求項１４に記載のスポーツ衣服。
【請求項１６】
さらなるズボン（１３）は前記スポーツ衣服（１）に配置されることを特徴とする、請求項１から１５のいずれか一項に記載のスポーツ衣服。
【発明の詳細な説明】
【技術分野】
【０００１】
本発明は、着用者の胴の少なくとも一部を覆う上部、および着用者の腹部の少なくとも一部を覆うズボンを含み、上部およびズボンはつなぎ服の形を成している、特に、サッカー、フットボール、ラグビー、ハンドボール、またはバスケットボールの団体競技用スポーツ衣服に関する。
【背景技術】
【０００２】
上記の種類のスポーツ衣服は、特許文献１から既知である。このつなぎ衣服によって、使用中のより良いフィット性が可能になり、かつ団体競技の他の選手がこの衣服をつかみかつ保持することがより困難になる。この衣服の着用中の利便性は依然改善されるべきであることが判明した。
【先行技術文献】
【特許文献】
【０００３】
【特許文献１】国際公開第２００５／０３９３３７号パンフレット
【発明の概要】
【発明が解決しようとする課題】
【０００４】
よって、本発明の目的は、着用者の体でのスポーツ衣服のより良いフィット性を可能にする、上記の種類の衣服を提案すること、また、着用中の高い利便性を保証することである。
【課題を解決するための手段】
【０００５】
本発明によるこの目的の解決策は、上部およびズボンが一体型編物デザインとして作られ、この衣服が、衣服の全周で衣服の全垂直方向伸張部の少なくとも４０％に沿って継目のない無縫製織物品として作られ、衣服の無縫製部分は、少なくとも、上部の垂直方向伸張部の一部に沿って、かつ少なくとも、ズボンの垂直方向伸張部の一部に沿って伸張することを特徴とする。
【０００６】
好ましくは、衣服は、該衣服の全周で全垂直方向伸張部の少なくとも５０％に沿って無縫製織物品として作られる。
【０００７】
垂直方向伸張部は、地上に直立する選手が着用する時の衣服の伸張部を意味する。それ故に、衣服の垂直方向伸張部の、少なくとも４０％、好ましくは５０％は、いずれの継目もないため、着用中の利便性は改善され、衣服のフィット性も最適化される。
【０００８】
よって、上記の伸張部の、少なくとも４０％、好ましくは５０％に沿った、述べられた無縫製デザインは、衣服が、この領域において、基本的に、着用者の体を取り囲むいずれの障害もない無縫製筒形であることを意味する。
【０００９】
衣服は好ましくは、丸編み工程または縦編み工程によって作られる。これらの編物工程は、当技術分野ではそれ自体は既知であるため、ここで該編物工程について詳細に説明する必要はない。
【００１０】
２つの腕袖は、上部の基部と接続可能であり、この腕袖は、２つの袖継目によって上部の基部に固定される。
【００１１】
さらに、脚内側継目は、ズボンのズボン脚部の内側に設けられ得、ズボンの残部にはいずれの継目もない。述べられた脚部継目は、よって、２つの隣接するズボン脚部の間の衣服の中心面に及ぶ。
【００１２】
１つまたは２つのジッパーは、衣服を急いで身に着けるまたは脱ぐことを容易にするために、上部の最上領域および／または上部の側領域に配置可能である。
【００１３】
好ましい実施形態によって、衣服が、編物が規定の第１の伸縮抵抗を有する少なくとも１つの第１の領域を含み、衣服が、編物が第１の伸縮抵抗と異なる規定の第２の伸縮抵抗を有する少なくとも１つの第２の領域を含むことが提案される。すなわち、伸縮抵抗は、衣服の全面に沿って均質ではなく、特定の部分で異なっている。
【００１４】
第２の伸縮抵抗は好ましくは、第１の伸縮抵抗の８５％を下回り、特に好ましくは、第１の伸縮抵抗の７０％を下回る。伸縮抵抗は、ここでは、第１の領域および第２の領域における編物から切り取られた、規定の形状（長さおよび幅）の試験片を使用することによって測定される、張力（Ｎ）および得られた伸び（ｍｍ）の商によって、すなわち、Ｎ／ｍｍで定められる。試験荷重がこの試験片に加えられ、それに応じて、伸縮抵抗を判断するために伸びが測定される。
【００１５】
異なる伸縮抵抗をもたらすために、異なる方法が適用可能である。１つの可能性は、衣服の第１の領域および第２の領域において、伸張部の１センチメートル当たりの編目の数が異なっていることである。よって、より高い伸縮抵抗を有する領域には、より低い伸縮抵抗を有する領域よりも多い編目が設けられ得る。別の可能性は、編地が少なくとも２つの異なる糸から作られ、少なくとも２つの糸の伸縮性は異なっており、使用される糸の比率は衣服の第１の領域および第２の領域で異なっていることである。そのため、より高い伸縮抵抗を施すために、より低い伸縮性を有する糸が用いられ得、より低い伸縮抵抗を施すために、より高い伸縮性を有する糸が使用可能である。２つの糸の間の妥当な比率を使用することによって、衣服のある領域の総伸縮抵抗は、所望の値に調節可能である。
【００１６】
第１の領域は、好ましくは、着用者の横隔膜を覆う衣服の一部分であり、第２の領域は、着用者の胸を覆う衣服の一部分および／または着用者のへそを覆う衣服の一部分である。この場合、第２の領域は、衣服の表面に垂直に見ると半月形であることが好ましい。
【００１７】
さらに、第１の領域は、着用者の横隔膜を覆う衣服の一部分とすることができ、第２の領域は、着用者の上背、および／または上部とズボンとの間の移行帯の背面を覆う衣服の一部分である。この場合、第２の領域は、衣服の表面に垂直に見るとＯ形またはＨ形であることが好ましい。
【００１８】
本発明のさらなる実施形態によって、さらなるズボンがスポーツ衣服に配置される。これらのズボンは、編成された衣服に縫い付けられ得る。スポーツ衣服の編み構造が影響されないようなやり方で、さらなるズボンが配置される。さらなるズボンは、スポーツ衣服において該衣服の横領域において固定される前パネルおよび後パネルとして設計可能である。具体的には、さらなるズボンは織物または編物から作られ得る。
【００１９】
当然ながら、スポーツ衣服は、容易に使用するために対応するチャックを備えることもできる。チャックは編み構造を有することができる。
【００２０】
具体的に、上述した丸編み方法または縦編み方法を使用することによって、非常に経済的なやり方で、すなわち、編み機の対応するプログラミングによって、衣服の表面に沿った所定の分布に従って伸縮抵抗を調節することは、かなり容易になる。
【００２１】
無縫製丸編み工程は、具体的に好ましい方法として、胴回り域（衣服の上部）に対する体のフィット性、および最下部域（衣服のズボン）におけるスリムフィットを得ることである。
【００２２】
無縫製丸編み工程はまた、衣服全体（衣服の上部およびズボン）に対するスリムフィットを得るために用いられ得る。
【００２３】
無縫製縦編みは、具体的に、衣服全体（衣服の上部およびズボン）に対する体のフィット感のために使用される。
【００２４】
よって、提案されたスポーツ衣服は、団体競技用ユニフォームのジャージ（衣服の上部）および半ズボン（ズボン）を組み合わせる、無縫製丸編みまたは無縫製縦編みを使用する。
【００２５】
好ましくは、このスポーツ衣服は、最適な運動の自由度を備える目的での具体的なボディマッピング基準に従って設置される差別化された伸縮域を特徴とする。より大きい動きが予想される部位では、生地は、より高い伸縮性を特徴づけることで、選手の動きの制限が低下する。動きが少ないことが予想される部位では、生地は、より低い伸縮性を特徴づけることで、ある特定の筋肉のより大きい支持が提供される。
【００２６】
図面において、本発明の一実施形態が示される。
【図面の簡単な説明】
【００２７】
【図１】スポーツ衣服の前側を示す図である。
【図２】スポーツ衣服の対応する裏側を示す図である。
【図３】異なる伸縮性を有する部位を指示するスポーツ衣服の前側を示す図である。
【図４】異なる伸縮性を有する部位を指示するスポーツ衣服の裏側を示す図である。
【発明を実施するための形態】
【００２８】
図１において、スポーツ衣服１の前側が示されており、図２は同衣服の裏側を示す。本実施形態では、衣服はサッカーウェアである。この衣服は、衣服１の（示されない）着用者の胴を覆う上部２、および着用者の腹部を部分的に覆うズボン３を有する。上部２およびズボン３は、一体型要素として作られ、すなわち、衣服１全体は、１枚のみで、意図した使用中、着用者の胴のみならず腹部を覆う。
【００２９】
図１から分かるように、衣服１は、全垂直方向伸張部Ｈを有する（垂直方向Ｖを参照）。この方向は、衣服１が地上に直立する着用者によって着用されるように理解されなければならない。
【００３０】
上部２およびズボン３は、一体型編物デザインとして作られ、すなわち、（腕袖４、５を除外した）示される生地は、実質的に継目のない一体部分として編み機上で製造される。より具体的には、衣服１は、衣服１の全周で衣服の全垂直方向伸張部Ｈの少なくとも４０％に沿って継目のない無縫製織物品として作られる。無縫製伸張部は、ｈ（袖継目６、７より下、脚内側継目８より上）で指示される。衣服１の無縫製部分は、図１から分かるように、上部２の垂直方向伸張部の一部に沿って、および、ズボン３の垂直方向伸張部の一部に沿って伸張する。
【００３１】
衣服１の継目は、腕袖４および５が衣服１の基部に接続される袖継目６および７に過ぎず、さらに、脚内側継目８は、編地から２つのズボン脚部９および１０を形成するために配置される。
【００３２】
上部２の上領域におけるジッパー１１および１２によって、容易く、衣服１を急いで身に着けかつ脱ぐことが可能になる。
【００３３】
（継目６、７、および８以外に）図１および図２における線は継目ではないが、図３および図４に関してここで説明されるような特殊な特性を有する衣服の特異な部分を指示している。
【００３４】
図３および図４において、伸縮方向Ｄは、衣服１の意図される使用中に伸縮が生じる、衣服１の異なる部分に対して両方向矢印によって指示される。見られるように、衣服の異なる領域は、衣服１の意図される使用中に異なる伸縮方向が現れる。
【００３５】
それによって、衣服１のある特定の領域の伸縮する能力は、他の領域と比較して大幅に異なっている。それ故に、本発明の概念によって、編地の伸縮抵抗に影響する異なるやり方で衣服１のある特定の部分を編成することが可能になる。
【００３６】
第１の領域Ｆおよび第２の領域Ｓは、高い伸縮抵抗を有する領域（図３のみに指示される第１の領域Ｆ）および低減したより低い伸縮抵抗を有する領域（第２の領域Ｓ）を標示する図３および図４において指示されている。
【００３７】
図３では、第１の領域Ｆは、着用者の横隔膜を覆う衣服１の一部分であることが分かる。ここで、衣服１の意図される使用中に大きな伸縮は生じない。この第１の領域Ｆは、第２の領域Ｓに対する伸縮抵抗を比較するための伸縮抵抗の参照領域である。
【００３８】
低減した伸縮抵抗により、ひいては、張力が加えられる時に弾性が大きくなる、低減した伸縮抵抗を有する衣服１の第２の領域Ｓは胸を覆う（図３における上の指示Ｓを参照）。同じことが、着用者のへそを覆う、衣服１の一部分に関連している第２の領域Ｓにも当てはまる（図３における下の指示Ｓを参照）。図３における第２の領域Ｓは両方共、半月形である。
【００３９】
衣服の裏側に関して、基本的に同じことが当てはまる。ここで、着用者の横隔膜を覆う第１の領域Ｆ（図３を参照）を再び参照する。ここで、第２の領域Ｓは、着用者の上背（図４における上の指示Ｓを参照）および上部２とズボン３との間の移行帯（図４における下の指示Ｓを参照）を覆う衣服１の一部分ある。本実施形態において、上側第２の領域Ｓは、実質的には、「Ｏ」の形をしており、下側第２の領域Ｓは、実質的には、「Ｈ」の形をしている。
【００４０】
好ましい丸編み工程または縦編み工程を使用すると、異なる伸縮抵抗を有する生地の異なる領域を機械加工することはかなり容易い。これを行うための異なる可能性が上述されている。
【００４１】
それ故に、衣服１は、意図される使用中の衣服の伸縮挙動に対する着用者の具体的な要件に適合させるように容易に適応可能である。
【００４２】
さらなるズボン１３もスポーツ衣服１において配置可能である。図１および図２において、これらのさらなるズボンは、点線で概略的にのみ示されている。これらのさらなるズボン１３は、必ずしも技術的機能を有する必要はなく、さらには、光学的理由によって（のみ）提供可能である。
【符号の説明】
【００４３】
１  スポーツ衣服
２  衣服の上部
３  衣服のズボン
４  腕袖
５  腕袖
６  袖継目
７  袖継目
８  脚内側継目
９  ズボン脚部
１０  ズボン脚部
１１  ジッパー
１２  ジッパー
１３  さらなるズボン
Ｈ  衣服の全垂直方向伸張部
ｈ  衣服の無縫製部分の伸張部
Ｖ  垂直方向
Ｄ  伸縮方向
Ｆ  第１の領域
Ｓ  第２の領域
【図１】
2021519869.tif 000003
【図２】
2021519869.tif 000004
【図３】
2021519869.tif 000005
【図４】
2021519869.tif 000006
【手続補正書】
【提出日】令和2年4月3日(2020.4.3)
【手続補正１】
【補正対象書類名】明細書
【補正対象項目名】全文
【補正方法】変更
【補正の内容】
【発明の詳細な説明】
【技術分野】
【０００１】
本発明は、着用者の胴の少なくとも一部を覆う上部、および着用者の腹部の少なくとも一部を覆うズボンを含み、上部およびズボンはつなぎ服の形を成している、特に、サッカー、フットボール、ラグビー、ハンドボール、またはバスケットボールの団体競技用スポーツ衣服であって、この衣服は、衣服の全周で衣服の全垂直方向伸張部の少なくとも４０％に沿って継目のない無縫製織物品として作られ、衣服の無縫製部分は、少なくとも、上部の垂直方向伸張部の一部に沿って伸張し、かつ、少なくとも、ズボンの垂直方向伸張部の一部に沿って伸張する、団体競技用スポーツ衣服に関する。
【背景技術】
【０００２】
一般的な種類の衣料品は特許文献１に記載されている。同様の種類のスポーツ衣服は、特許文献２から既知である。このつなぎ衣服によって、使用中のより良いフィット性が可能になり、かつ団体競技の他の選手がこの衣服をつかみかつ保持することがより困難になる。他の解決策は、特許文献３、特許文献４、および特許文献５から既知である。この衣服の着用中の利便性は依然改善されるべきであることが判明した。
【先行技術文献】
【特許文献】
【０００３】
【特許文献１】米国特許出願公開第２０１１／０１０７５０２号
【特許文献２】国際公開第２００５／０３９３３７号パンフレット
【特許文献３】米国特許第６０４７４０６号
【特許文献４】米国特許出願公開第２０１１／０１３８５２４号
【特許文献５】国際公開第２０１６／１７３０３１号パンフレット
【発明の概要】
【発明が解決しようとする課題】
【０００４】
よって、本発明の目的は、着用者の体でのスポーツ衣服のより良いフィット性を可能にする、上記の種類の衣服を提案すること、さらにまた、着用中の高い利便性を保証することである。
【課題を解決するための手段】
【０００５】
本発明によるこの目的の解決策は、衣服が、編物が規定の第１の伸縮抵抗を有する少なくとも１つの第１の領域を含み、衣服が、編物が第１の伸縮抵抗と異なる規定の第２の伸縮抵抗を有する少なくとも１つの第２の領域を含み、第１の領域は、着用者の横隔膜を覆う衣服の一部分であり、第２の領域は、着用者の上背、および／または上部とズボンとの間の移行帯の背面を覆う衣服の一部分であることを特徴とする。
【０００６】
好ましくは、衣服は、該衣服の全周で全垂直方向伸張部の少なくとも５０％に沿って無縫製織物品として作られる。
【０００７】
垂直方向伸張部は、地上に直立する選手が着用する時の衣服の伸張部を意味する。それ故に、衣服の垂直方向伸張部の、少なくとも４０％、好ましくは５０％は、いずれの継目もないため、着用中の利便性は改善され、衣服のフィット性も最適化される。
【０００８】
よって、上記の伸張部の、少なくとも４０％、好ましくは５０％に沿った、述べられた無縫製デザインは、衣服が、この領域において、基本的に、着用者の体を取り囲むいずれの障害もない無縫製筒形であることを意味する。
【０００９】
衣服は好ましくは、丸編み工程または縦編み工程によって作られる。これらの編物工程は、当技術分野ではそれ自体は既知であるため、ここで同じことを詳細に説明する必要はない。
【００１０】
２つの腕袖は、上部の基部と接続可能であり、この腕袖は、２つの袖継目によって上部の基部に固定される。
【００１１】
さらに、脚内側継目は、ズボンのズボン脚部の内側に設けられ得、ズボンの残部にはいずれの継目もない。述べられた脚部継目は、よって、２つの隣接するズボン脚部の間の衣服の中心面に及ぶ。
【００１２】
１つまたは２つのジッパーは、衣服を急いで身に着けるまたは脱ぐことを容易にするために、上部の最上領域および／または上部の側領域に配置可能である。
【００１３】
本発明によると、伸縮抵抗は、衣服の全面に沿って均質ではなく、特定の部分で異なっている。
【００１４】
第２の伸縮抵抗は好ましくは、第１の伸縮抵抗の８５％を下回り、特に好ましくは、第１の伸縮抵抗の７０％を下回る。伸縮抵抗は、ここでは、第１の領域および第２の領域のケル編物から切り取られた、規定の形状（長さおよび幅）の試験片を使用することによって測定される、張力（Ｎ）および得られた伸び（ｍｍ）の商、すなわち、Ｎ／ｍｍで定められる。試験荷重がこの試験片に加えられ、それに応じて、伸縮抵抗を判断するために伸びが測定される。
【００１５】
異なる伸縮抵抗をもたらすために、異なる方法が適用可能である。１つの可能性は、衣服の第１の領域および第２の領域において、伸張部の１センチメートル当たりの編目の数が異なっていることである。よって、より高い伸縮抵抗を有する領域には、より低い伸縮抵抗を有する領域よりも多い編目が設けられ得る。別の可能性は、編地が少なくとも２つの異なる糸から作られ、少なくとも２つの糸の伸縮性は異なっており、使用される糸の比率は衣服の第１の領域および第２の領域で異なっていることである。そのため、より高い伸縮抵抗を得るために、より低い伸縮性を有する糸が用いられ得、より低い伸縮抵抗を得るために、より高い伸縮性を有する糸が使用可能である。２つの糸の間の正しい比率を使用することによって、衣服のある領域の総伸縮抵抗は、所望の値に調節可能である。
【００１６】
本発明の好ましい実施形態によると、第２の領域は、衣服の表面に垂直に見るとＯ形またはＨ形である。
【００１７】
本発明のさらなる実施形態によって、さらなるズボンがスポーツ衣服に配置される。これらのズボンは、編成された衣服に縫い付けられ得る。スポーツ衣服の編み構造が影響されないようなやり方で、さらなるズボンが配置される。さらなるズボンは、スポーツ衣服において該衣服の横領域において固定される前パネルおよび後パネルとして設計可能である。具体的には、さらなるズボンは織物または編物から作られ得る。
【００１８】
当然ながら、スポーツ衣服は、容易に使用するために対応するズボンのチャックを備えることもできる。ズボンのチャックは編み構造を有することができる。
【００１９】
具体的に、上述した丸編み方法または縦編み方法を使用することによって、非常に経済的なやり方で、すなわち、編み機の対応するプログラミングによって、衣服の表面に沿った所定の分布に従って伸縮抵抗を調節することは、かなり容易になる。
【００２０】
無縫製丸編み工程は、具体的に好ましい方法として、胴回り域（衣服の上部）に対する体のフィット性、および最下部域（衣服のズボン）におけるスリムフィットを得ることである。
【００２１】
無縫製丸編み工程はまた、衣服全体（衣服の上部およびズボン）に対するスリムフィットを得るために用いられ得る。
【００２２】
無縫製縦編みは、具体的に、衣服全体（衣服の上部およびズボン）に対する体のフィット感のために使用される。
【００２３】
よって、提案されたスポーツ衣服は、団体競技用ユニフォームのジャージ（衣服の上部）および半ズボン（ズボン）を組み合わせる、無縫製丸編みまたは無縫製縦編みを使用する。
【００２４】
好ましくは、このスポーツ衣服は、最適な運動の自由度を備える目的での具体的なボディマッピング基準に従って設置される差別化された伸縮域を特徴とする。より大きい動きが予想される部位では、生地は、より高い伸縮性を特徴づけることで、選手の動きの制限が低下する。動きが少ないことが予想される部位では、生地は、より低い伸縮性を特徴づけることで、ある特定の筋肉のより大きい支持が提供される。
【００２５】
図面において、本発明の一実施形態が示される。
【図面の簡単な説明】
【００２６】
【図１】スポーツ衣服の前側を示す図である。
【図２】スポーツ衣服の対応する裏側を示す図である。
【図３】異なる伸縮性を有する部位を指示するスポーツ衣服の前側を示す図である。
【図４】異なる伸縮性を有する部位を指示するスポーツ衣服の裏側を示す図である。
【発明を実施するための形態】
【００２７】
図１において、スポーツ衣服１の前側が示されており、図２は同衣服の裏側を示す。本実施形態では、衣服はサッカーウェアである。この衣服は、衣服１の（示されない）着用者の胴を覆う上部２、および着用者の腹部を部分的に覆うズボン３を有する。上部２およびズボン３は、一体型要素として作られ、すなわち、衣服１全体は、１枚のみで、意図した使用中、着用者の胴のみならず腹部を覆う。
【００２８】
図１から分かるように、衣服１は、全垂直方向伸張部Ｈを有する（垂直方向Ｖを参照）。この方向は、衣服１が地上に直立する着用者によって着用されるように理解されなければならない。
【００２９】
上部２およびズボン３は、一体型編物デザインとして作られ、すなわち、（腕袖４、５を除外した）示される生地は、実質的に継目のない一体部分として編み機上で製造される。より具体的には、衣服１は、衣服１の全周で衣服の全垂直方向伸張部Ｈの少なくとも４０％に沿って継目のない無縫製織物品として作られる。無縫製伸張部は、ｈ（袖継目６、７より下、脚内側継目８より上）で指示される。衣服１の無縫製部分は、図１から分かるように、上部２の垂直方向伸張部の一部に沿って、および、ズボン３の垂直方向伸張部の一部に沿って伸張する。
【００３０】
衣服１の継目は、腕袖４および５が衣服１の基部に接続される袖継目６および７に過ぎず、さらに、脚内側継目８は、編地から２つのズボン脚部９および１０を形成するために配置される。
【００３１】
上部２の上領域におけるジッパー１１および１２によって、容易く、衣服１を急いで身に着けかつ脱ぐことが可能になる。
【００３２】
（継目６、７、および８以外に）図１および図２における線は継目ではないが、図３および図４に関してここで説明されるような特殊な特性を有する衣服の特異な部分を指示している。
【００３３】
図３および図４において、伸縮方向Ｄは、衣服１の意図される使用中に伸縮が生じる、衣服１の異なる部分に対して両方向矢印によって指示される。見られるように、衣服の異なる領域は、衣服１の意図される使用中に異なる伸縮方向が現れる。
【００３４】
それによって、衣服１のある特定の領域の伸縮する能力は、他の領域と比較して大幅に異なっている。それ故に、本発明の概念によって、編地の伸縮抵抗に影響する異なるやり方で衣服１のある特定の部分を編成することが可能になる。
【００３５】
第１の領域Ｆおよび第２の領域Ｓは、高い伸縮抵抗を有する領域（図３のみに指示される第１の領域Ｆ）および低減したより低い伸縮抵抗を有する領域（第２の領域Ｓ）を標示する図３および図４において指示されている。
【００３６】
図３では、第１の領域Ｆは、着用者の横隔膜を覆う衣服１の一部分であることが分かる。ここで、衣服１の意図される使用中に大きな伸縮は生じない。この第１の領域Ｆは、第２の領域Ｓに対する伸縮抵抗を比較するための伸縮抵抗の参照領域である。
【００３７】
低減した伸縮抵抗により、ひいては、張力が加えられる時に弾性が大きくなる、低減した伸縮抵抗を有する衣服１の第２の領域Ｓは胸を覆う（図３における上の指示Ｓを参照）。同じことが、着用者のへそを覆う、衣服１の一部分に関連している第２の領域Ｓにも当てはまる（図３における下の指示Ｓを参照）。図３における第２の領域Ｓは両方共、半月形である。
【００３８】
衣服の裏側に関して、基本的に同じことが当てはまる。ここで、着用者の横隔膜を覆う第１の領域Ｆ（図３を参照）を再び参照する。ここで、第２の領域Ｓは、着用者の上背（図４における上の指示Ｓを参照）および上部２とズボン３との間の移行帯（図４における下の指示Ｓを参照）を覆う衣服１の一部分ある。本実施形態において、上側第２の領域Ｓは、実質的には、「Ｏ」の形をしており、下側第２の領域Ｓは、実質的には、「Ｈ」の形をしている。
【００３９】
好ましい丸編み工程または縦編み工程を使用すると、異なる伸縮抵抗を有する生地の異なる領域を機械加工することはかなり容易い。これを行うための異なる可能性が上述されている。
【００４０】
それ故に、衣服１は、意図される使用中の衣服の伸縮挙動に対する着用者の具体的な要件に適合させるように容易に適応可能である。
【００４１】
さらなるズボン１３もスポーツ衣服１において配置可能である。図１および図２において、これらのさらなるズボンは、点線で概略的にのみ示されている。これらのさらなるズボン１３は、必ずしも技術的機能を有する必要はなく、さらには、光学的理由によって（のみ）提供可能である。
【符号の説明】
【００４２】
１  スポーツ衣服
２  衣服の上部
３  衣服のズボン
４  腕袖
５  腕袖
６  袖継目
７  袖継目
８  脚内側継目
９  ズボン脚部
１０  ズボン脚部
１１  ジッパー
１２  ジッパー
１３  さらなるズボン
Ｈ  衣服の全垂直方向伸張部
ｈ  衣服の無縫製部分の伸張部
Ｖ  垂直方向
Ｄ  伸縮方向
Ｆ  第１の領域
Ｓ  第２の領域
【手続補正２】
【補正対象書類名】特許請求の範囲
【補正対象項目名】全文
【補正方法】変更
【補正の内容】
【特許請求の範囲】
【請求項１】
着用者の胴の少なくとも一部を覆う上部（２）、および前記着用者の腹部の少なくとも一部を覆うズボン（３）を含み、前記上部（２）および前記ズボン（３）はつなぎ服の形を成しており、前記上部（２）および前記ズボン（３）は一体型編物デザインとして作られ、衣服（１）は、前記衣服（１）の全周で前記衣服（１）の全垂直方向伸張部（Ｈ）の少なくとも４０％に沿って継目のない無縫製織物品として作られ、前記衣服（１）の無縫製部分は、少なくとも、前記上部（２）の垂直方向伸張部の一部に沿って伸張し、かつ、少なくとも、前記ズボン（３）の前記垂直方向伸張部の一部に沿って伸張する、特に、サッカー、フットボール、ラグビー、ハンドボール、またはバスケットボールの団体競技用スポーツ衣服（１）であって、
前記衣服（１）は、編物が規定の第１の伸縮抵抗を有する少なくとも１つの第１の領域（Ｆ）を含み、前記衣服（１）は、前記編物が前記第１の伸縮抵抗と異なる規定の第２の伸縮抵抗を有する少なくとも１つの第２の領域（Ｓ）を含み、前記第１の領域（Ｆ）は、前記着用者の横隔膜を覆う前記衣服（１）の一部分であり、前記第２の領域（Ｓ）は、前記着用者の上背、および／または前記上部（２）と前記ズボン（３）との間の移行帯の背面を覆う前記衣服（１）の一部分であることを特徴とする、団体競技用スポーツ衣服（１）。
【請求項２】
前記衣服（１）は、前記衣服（１）の全周で前記衣服（１）の前記全垂直方向伸張部（Ｈ）の少なくとも５０％（ｈ）に沿って無縫製織物品として作られることを特徴とする、請求項１に記載のスポーツ衣服。
【請求項３】
前記衣服（１）は丸編み工程によって作られることを特徴とする、請求項１または２に記載のスポーツ衣服。
【請求項４】
前記衣服（１）は縦編み工程によって作られることを特徴とする、請求項１または２に記載のスポーツ衣服。
【請求項５】
２つの腕袖（４、５）は前記上部（２）の基部と接続され、前記腕袖（４、５）は２つの袖継目（６、７）によって前記上部（２）の前記基部に固定されることを特徴とする、請求項１から４のいずれか一項に記載のスポーツ衣服。
【請求項６】
脚内側継目（８）は、前記ズボン（３）のズボン脚部（９、１０）の内側に設けられ、前記ズボン（３）の残部にはいずれの継目もないことを特徴とする、請求項１から５のいずれか一項に記載のスポーツ衣服。
【請求項７】
１つまたは２つのジッパー（１１、１２）は、前記上部（２）の最上領域および／または前記上部（２）の側領域に配置されることを特徴とする、請求項１から６のいずれか一項に記載のスポーツ衣服。
【請求項８】
前記第２の伸縮抵抗は、前記第１の伸縮抵抗の８５％を下回り、好ましくは、前記第１の伸縮抵抗の７０％を下回ることを特徴とする、請求項１から７のいずれか一項に記載のスポーツ衣服。
【請求項９】
前記衣服（１）の前記第１の領域（Ｆ）および前記第２の領域（Ｓ）において、伸張部の１センチメートル当たりの編目の数が異なっていることを特徴とする、請求項１から８のいずれか一項に記載のスポーツ衣服。
【請求項１０】
前記編物の編地は少なくとも２つの異なる糸から作られ、前記少なくとも２つの糸の伸縮性は異なっており、使用される糸の比率は前記衣服（１）の前記第１の領域（Ｆ）および前記第２の領域（Ｓ）で異なっていることを特徴とする、請求項１から８のいずれか一項に記載のスポーツ衣服。
【請求項１１】
前記第２の領域（Ｓ）は、前記衣服（１）の表面に垂直に見るとＯ形またはＨ形であることを特徴とする、請求項１から１０のいずれか一項に記載のスポーツ衣服。
【請求項１２】
さらなるズボン（１３）は前記スポーツ衣服（１）に配置されることを特徴とする、請求項１から１１のいずれか一項に記載のスポーツ衣服。
【国際調査報告】
2021519869.tif 000007
2021519869.tif 000008
2021519869.tif 000009